(57)【要約】  本開示は、小規模セルのカバレージエリアを最適化するための方法および装置を提示する。たとえば、本開示は、小規模セルの利用可能なバックホールキャパシティを推定するステップと、推定された利用可能なバックホールキャパシティに少なくとも基づいて、小規模セルのターゲットOTAデータレートを決定するステップと、決定されたターゲットOTAデータレートに少なくとも基づいて、小規模セルのカバレージエリアを変更するステップとのための方法を提示する。このように、小規模セルのカバレージエリアの最適化が達成され得る。
2016538758.tif 000002
【特許請求の範囲】
【請求項１】
小規模セルのカバレージエリアを最適化するための方法であって、
小規模セルの利用可能なバックホールキャパシティを推定するステップと、
前記推定された利用可能なバックホールキャパシティに少なくとも基づいて、前記小規模セルのターゲットオーバーザエア(OTA)データレートを決定するステップと、
前記決定されたターゲットOTAデータレートに少なくとも基づいて、前記小規模セルの前記カバレージエリアを変更するステップと
を備える、方法。
【請求項２】
前記小規模セルの1つまたは複数のパラメータを修正することによって、前記小規模セルの前記カバレージエリアが変更される、請求項1に記載の方法。
【請求項３】
前記ターゲットOTAデータレートは、前記小規模セルで利用可能なリソース要素(RE)を減少させることによって達成される、請求項2に記載の方法。
【請求項４】
前記小規模セルの前記カバレージエリアを変更する前記ステップは、前記小規模セルでリソース要素(RE)あたりの送信電力を増加させるステップをさらに備える、請求項2に記載の方法。
【請求項５】
前記小規模セルの1つまたは複数の共通チャネルの送信電力を増加させるステップをさらに備える、請求項2に記載の方法。
【請求項６】
前記1つまたは複数の共通チャネルは、共通参照信号(CRS)、1次同期信号(PSS)、2次同期信号(SSS)、物理ブロードキャストチャネル(PBCH)、および物理ダウンリンク制御チャネル(PDCCH)を備えるリストから選択される、請求項5に記載の方法。
【請求項７】
前記小規模セルの前記カバレージエリアは、前記小規模セルの動作帯域幅またはトラフィック対パイロット比を修正することによって変更される、請求項2に記載の方法。
【請求項８】
小規模セルのカバレージエリアを最適化するための装置であって、
小規模セルの利用可能なバックホールキャパシティを推定するための手段と、
前記推定された利用可能なバックホールキャパシティに少なくとも基づいて、前記小規模セルのターゲットオーバーザエア(OTA)データレートを決定するための手段と、
前記決定されたターゲットOTAデータレートに少なくとも基づいて、前記小規模セルの前記カバレージエリアを変更するための手段と
を備える、装置。
【請求項９】
前記小規模セルの1つまたは複数のパラメータを修正することによって、前記小規模セルの前記カバレージエリアは変更される、請求項8に記載の装置。
【請求項１０】
前記ターゲットOTAデータレートは、前記小規模セルで利用可能なリソース要素(RE)を減少させることによって達成される、請求項9に記載の装置。
【請求項１１】
前記小規模セルの前記カバレージエリアを前記変更することは、前記小規模セルでリソース要素(RE)あたりの送信電力を増加させることをさらに備える、請求項9に記載の装置。
【請求項１２】
前記小規模セルの1つまたは複数の共通チャネルの送信電力を増加させるための手段をさらに備える、請求項9に記載の装置。
【請求項１３】
前記1つまたは複数の共通チャネルは、共通参照信号(CRS)、1次同期信号(PSS)、2次同期信号(SSS)、物理ブロードキャストチャネル(PBCH)、および物理ダウンリンク制御チャネル(PDCCH)を備えるリストから選択される、請求項12に記載の装置。
【請求項１４】
前記小規模セルの前記カバレージエリアは、前記小規模セルの動作帯域幅またはトラフィック対パイロット比を修正することによって変更される、請求項9に記載の装置。
【請求項１５】
小規模セルのカバレージエリアを最適化するためのコンピュータプログラム製品であって、
小規模セルの利用可能なバックホールキャパシティを推定することと、
前記推定された利用可能なバックホールキャパシティに少なくとも基づいて、前記小規模セルのターゲットオーバーザエア(OTA)データレートを決定することと、
前記決定されたターゲットOTAデータレートに少なくとも基づいて、前記小規模セルの前記カバレージエリアを変更することと
をコンピュータによって実行可能なコードを備える非一時的コンピュータ可読媒体を備える、コンピュータプログラム製品。
【請求項１６】
前記小規模セルの1つまたは複数のパラメータを修正することによって、前記小規模セルの前記カバレージエリアは変更される、請求項15に記載のコンピュータプログラム製品。
【請求項１７】
前記ターゲットOTAデータレートは、前記小規模セルで利用可能なリソース要素(RE)を減少させることによって達成される、請求項16に記載のコンピュータプログラム製品。
【請求項１８】
前記小規模セルの前記カバレージエリアを前記変更することは、前記小規模セルでリソース要素(RE)あたりの送信電力を増加させることをさらに備える、請求項16に記載のコンピュータプログラム製品。
【請求項１９】
前記小規模セルの1つまたは複数の共通チャネルの送信電力を増加させるためのコードをさらに備える、請求項16に記載のコンピュータプログラム製品。
【請求項２０】
前記1つまたは複数の共通チャネルは、共通参照信号(CRS)、1次同期信号(PSS)、2次同期信号(SSS)、物理ブロードキャストチャネル(PBCH)、および物理ダウンリンク制御チャネル(PDCCH)を備えるリストから選択される、請求項19に記載のコンピュータプログラム製品。
【請求項２１】
前記小規模セルの前記カバレージエリアは、前記小規模セルの動作帯域幅またはトラフィック対パイロット比を修正することによって変更される、請求項16に記載のコンピュータプログラム製品。
【請求項２２】
小規模セルのカバレージエリアを最適化するための装置であって、
小規模セルの利用可能なバックホールキャパシティを推定するためのバックホールキャパシティ推定構成要素と、
前記推定された利用可能なバックホールキャパシティに少なくとも基づいて、前記小規模セルのターゲットオーバーザエア(OTA)データレートを決定するためのターゲットOTAデータレート決定構成要素と、
前記決定されたターゲットOTAデータレートに少なくとも基づいて、前記小規模セルの前記カバレージエリアを変更するためのパラメータ最適化構成要素と
を備える、装置。
【請求項２３】
前記パラメータ最適化構成要素は、前記小規模セルの1つまたは複数のパラメータを修正することによって、前記小規模セルの前記カバレージエリアを変更するようにさらに構成される、請求項22に記載の装置。
【請求項２４】
前記ターゲットOTAデータレート決定構成要素は、前記小規模セルで利用可能なリソース要素(RE)を減少させることによって、前記OTAデータレートを達成するようにさらに構成される、請求項23に記載の装置。
【請求項２５】
前記パラメータ最適化構成要素は、前記小規模セルでリソース要素(RE)あたりの送信電力を増加させることによって、前記小規模セルの前記カバレージエリアを変更するようにさらに構成される、請求項23に記載の装置。
【請求項２６】
前記パラメータ最適化構成要素は、前記小規模セルの1つまたは複数の共通チャネルの送信電力を増加させるようにさらに構成される、請求項23に記載の装置。
【請求項２７】
前記1つまたは複数の共通チャネルは、共通参照信号(CRS)、1次同期信号(PSS)、2次同期信号(SSS)、物理ブロードキャストチャネル(PBCH)、および物理ダウンリンク制御チャネル(PDCCH)を備えるリストから選択される、請求項26に記載の装置。
【請求項２８】
前記小規模セルの前記カバレージエリアは、前記小規模セルの動作帯域幅またはトラフィック対パイロット比を修正することによって変更される、請求項22に記載の装置。
【発明の詳細な説明】
【技術分野】
【０００１】
優先権の主張
本特許出願は、本出願の譲受人に譲渡され、参照により本明細書に明確に組み込まれる、2014年4月3日に出願された「Method and Apparatus for Optimizing Coverage Area of a Small Cell」と題する米国非仮特許出願第14/244,152号と、2013年10月18日に出願された「Apparatus and Method for Optimizing Coverage Area of a Small Cell」と題する米国仮特許出願第61/892,987号との優先権を主張する。
【０００２】
本開示は全般に通信システムに関し、より詳細には、小規模セルのカバレージエリアを最適化するための方法および装置に関する。
【背景技術】
【０００３】
電話、ビデオ、データ、メッセージング、および放送などの様々な電気通信サービスを提供するために、ワイヤレス通信システムが広範囲に配備されている。通常のワイヤレス通信システムは、利用可能なシステムリソース(たとえば、帯域幅、送信電力)を共有することによって、複数のユーザとの通信をサポートすることが可能な多元接続技術を利用することができる。そのような多元接続技術の例には、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが含まれる。
【０００４】
これらの多元接続技術は、様々なワイヤレスデバイスが自治体、国家、地域、さらには地球規模で通信することを可能にする共通プロトコルを提供するために、様々な電気通信規格において採用されている。新興の電気通信規格の一例は、Long Term Evolution(LTE)である。LTEは、第3世代パートナーシッププロジェクト(3GPP)によって公表されたUniversal Mobile Telecommunications System(UMTS)のモバイル規格に対する拡張セットである。LTEは、スペクトル効率を改善することによってモバイルブロードバンドインターネットアクセスをより良くサポートすること、コストを下げること、サービスを改善すること、新しいスペクトルを利用すること、ならびに、ダウンリンク(DL)上のOFDMA、アップリンク(UL)上のSC-FDMA、および多入力多出力(MIMO)アンテナ技術を使用して、他のオープン規格とより良く統合することを行うように設計されている。しかしながら、モバイルブロードバンドアクセスに対する需要が増加し続けるのに伴い、LTE技術のさらなる改善が必要である。好ましくは、これらの改善は、他の多元接続技術、およびこれらの技術を利用する電気通信規格に適用可能であるべきである。
【０００５】
従来の基地局を補うために、より堅牢なワイヤレスカバレージをモバイルデバイスに提供するために、追加の制限された電力、あるいは小規模カバレージ基地局またはセルと呼ばれる制限されたカバレージ基地局が配備され得る。たとえば、増分キャパシティ増大、より豊かなユーザ体験、建物内または他の特定の地理的範囲、および/または同様のもののために、ワイヤレス中継局および低電力基地局(たとえば、通常、ホームNodeBまたはホームeNBと呼ばれてよく、集合的にH(e)NB、フェムトノード、ピコノード等と呼ばれる)が配備され得る。そのような低電力または小規模カバレージ(たとえば、マクロネットワーク基地局またはセルと比較して)基地局は、ブロードバンド接続(たとえば、デジタル加入者回線(DSL)ルータ、ケーブル、または他のモデム等)を介してインターネットに接続されてよく、モバイル事業者のネットワークにバックホールリンクを提供し得る。したがって、たとえば、小規模カバレージ基地局は、ブロードバンド接続を介して1つまたは複数のデバイスにモバイルネットワークアクセスを提供するために、ユーザの家庭に配備され得る。そのような基地局の配備は計画外であるため、相互の近傍内に複数の局が配備されると、低電力基地局が相互に干渉する場合がある。
【０００６】
いくつかの小規模セル配備、たとえば、近隣の小規模セルでは、最大サポートスループットに関してバックホールに制限がある場合がある。しかしながら、そのような配備では、小規模セルによってサポートされるオーバーザエア(OTA)データレートは、小規模セルのバックホールキャパシティを超えて、OTAリソースの非効率的な使用をもたらす場合がある。
【発明の概要】
【発明が解決しようとする課題】
【０００７】
したがって、小規模セルのカバレージエリアを最適化するための方法および装置が所望される。
【課題を解決するための手段】
【０００８】
次に、図面を参照して様々な態様を説明する。以下の記述では、説明の目的で、1つまたは複数の態様の完全な理解を与えるために多数の特定の詳細が記載されている。しかしながら、そのような態様は、これらの特定の詳細なしに実施できることは明らかであろう。以下で、1つまたは複数の態様の基本的理解を与えるために、そのような態様の簡略化された概要を提示する。
【０００９】
本開示は、小規模セルのカバレージエリアを最適化するための例示的な方法および装置を提示する。たとえば、本開示は、小規模セルの利用可能なバックホールキャパシティを推定するステップと、推定された利用可能なバックホールキャパシティに少なくとも基づいて、小規模セルのターゲットOTAデータレートを決定するステップと、決定されたターゲットOTAデータレートに少なくとも基づいて、小規模セルのカバレージエリアを変更するステップとのための例示的な方法を提示する。
【００１０】
追加の態様では、小規模セルのカバレージエリアを最適化するための装置が開示される。本装置は、小規模セルの利用可能なバックホールキャパシティを推定するための手段と、推定された利用可能なバックホールキャパシティに少なくとも基づいて、小規模セルのターゲットOTAデータレートを決定するための手段と、決定されたターゲットOTAデータレートに少なくとも基づいて、小規模セルのカバレージエリアを変更するための手段とを含み得る。
【００１１】
さらなる態様では、小規模セルのカバレージエリアを最適化するためのコンピュータプログラム製品が記載される。本コンピュータプログラム製品は、小規模セルの利用可能なバックホールキャパシティを推定することと、推定された利用可能なバックホールキャパシティに少なくとも基づいて、小規模セルのターゲットOTAデータレートを決定することと、決定されたターゲットOTAデータレートに少なくとも基づいて、小規模セルのカバレージエリアを変更することとをコンピュータによって実行可能なコードを備えるコンピュータ可読媒体を含み得る。
【００１２】
さらに、本開示は、小規模セルのカバレージエリアを最適化するための装置を提示する。本装置は、小規模セルの利用可能なバックホールキャパシティを推定するためのバックホールキャパシティ推定構成要素と、推定された利用可能なバックホールキャパシティに少なくとも基づいて、小規模セルのターゲットOTAデータレートを決定するためのターゲットOTAデータレート決定構成要素と、決定されたターゲットOTAデータレートに少なくとも基づいて、小規模セルのカバレージエリアを変更するためのパラメータ最適化構成要素とを含み得る。
【００１３】
上記の目的および関連の目的の達成のために、1つまたは複数の態様は、以下で十分に説明され特許請求の範囲で具体的に指摘される特徴を含む。以下の説明および添付の図面は、1つまたは複数の態様のいくつかの例示的な特徴を詳細に説明する。しかしながら、これらの特徴は、様々な態様の原理が利用され得る様々な方法のうちのいくつかを示すものにすぎず、この説明は、そのようなすべての態様およびそれらの等価物を含むものとする。
【図面の簡単な説明】
【００１４】
【図１】本開示の態様における例示的なワイヤレスシステムを示すブロック図である。
【図２】本開示の態様における例示的なカバレージ最適化マネージャを示すブロック図である。
【図３】自己組織化ネットワークの分散最適化の方法の態様を示す流れ図である。
【図４】本開示によって企図される、電気的構成要素の論理グルーピングの態様を示すブロック図である。
【図５】ネットワーク環境内の小規模セルの配備を可能にするための例示的な通信システムを示す図である。
【図６】本開示による、コンピュータデバイスの態様を示すブロック図である。
【図７】処理システムを採用する装置のためのハードウェア実装形態の例を示すブロック図である。
【図８】遠隔通信システムの例を概念的に示すブロック図である。
【図９】アクセスネットワークの例を示す概念図である。
【図１０】遠隔通信システムにおいてUEと通信しているNodeBの例を概念的に示すブロック図である。
【発明を実施するための形態】
【００１５】
添付の図面に関する下記の詳細な説明は、様々な構成の説明として意図されており、本明細書で説明する概念が実行され得る唯一の構成を表すように意図されているわけではない。詳細な説明は、様々な概念の完全な理解をもたらす目的で、具体的な詳細を含んでいる。しかし、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１６】
本開示は、小規模セルのカバレージエリアを最適化するための例示的な方法および装置を提示する。たとえば、小規模セルによってサポートされるデータレートは、小規模セルの利用可能なバックホールキャパシティによって制限され得る。したがって、推定された利用可能なバックホールキャパシティに少なくとも基づくターゲットオーバーザエア(OTA)データレートが決定され、小規模セルのカバレージエリアは、普通なら小規模セルによってカバーされない、より多くのエリアおよび/またはUEをカバーするために変更(たとえば、増大)される。
【００１７】
図1を参照すると、小規模セルのカバレージエリアの最適化を容易にするワイヤレス通信システム100が示されている。
【００１８】
ある態様では、たとえば、システム100は、1つまたは複数の基地局、たとえば、1つまたは複数の通信リンク、たとえばリンク104を介してコアネットワークエンティティ102と通信している小規模セル110を含み得る通信ネットワークであり得る。システム100は、1つまたは複数のユーザ端末、たとえば小規模セル110のカバレージエリア120内のUE122を含み得る。UE122は、1つまたは複数のオーバーザエア(OTA)リンク116を介して小規模セルと通信していてよい。図1は、小規模セル110のカバレージエリア120内の複数のUE122を示している。
【００１９】
本明細書で使用される「小規模セル(small cell)」という用語は、マクロセルの送信電力および/またはカバレージエリアと比較して、比較的低い送信電力、および/または比較的小さいカバレージエリアセルを指す。さらに、「小規模セル」という用語は、これに限定されないが、フェムトセル、ピコセル、アクセスポイント基地局、ホームNodeB、またはフェムトアクセスポイントなどのセルを含み得る。たとえば、マクロセルは、これに限定されないが、半径数キロメートルなどの比較的大きい地理的エリアをカバーすることができる。対照的に、ピコセルは、これに限定されないが、建物などの比較的小さい地理的エリアをカバーすることができる。さらに、フェムトセルはまた、これに限定されないが、住居、または建物の1フロアなどの、比較的小さい地理的エリアをカバーすることができる。
【００２０】
ある態様では、小規模セル110は、カバレージ最適化マネージャ112を用いて構成され得る。カバレージ最適化マネージャ112は、小規模セル110のカバレージエリアを最適化することを容易にする。カバレージ最適化マネージャ112は、小規模セルの利用可能なバックホールキャパシティを推定することと、推定された利用可能なバックホールキャパシティに少なくとも基づいて、小規模セルのターゲットOTAデータレートを決定することと、決定されたターゲットOTAデータレートに少なくとも基づいて、小規模セルのカバレージエリアを変更することとによって、小規模セルのカバレージエリアを最適化し得る。
【００２１】
追加の態様では、カバレージ最適化マネージャ112は、パラメータ最適化構成要素114を含むように構成され得る。パラメータ最適化構成要素114は、小規模セルの1つまたは複数のパラメータを修正することによって、小規模セルのカバレージエリアを変更、たとえば、増大または縮小させる。たとえば、ある態様では、カバレージ最適化マネージャ112は、小規模セルの1つまたは複数のパラメータを修正することによって、小規模セルのカバレージエリアをカバレージエリア120からカバレージエリア130に増大させ得る。ある態様では、小規模セルのカバレージエリアを増大(または、縮小)させるために修正されたパラメータは、小規模セルの送信電力、小規模セルのリソース要素の数、パイロットチャネルの送信電力、小規模セルの動作帯域幅、トラフィック対パイロット比等を含んでよく、それらは以下で詳細に説明される。
【００２２】
追加の、または任意の態様では、たとえば、カバレージ最適化マネージャ112は、小規模セルの1つまたは複数のパラメータを修正することによって、小規模セルのカバレージエリアをカバレージエリア120からカバレージエリア140に縮小させ得る。たとえば、ある態様では、小規模セル110のカバレージエリアは、利用可能なバックホールキャパシティが、UEで、より高いオーバーザエア(OTA)データレートをサポートできると決定されると縮小され得る。
【００２３】
図2を参照すると、本開示の態様における例示的なカバレージ最適化マネージャが示されている。
【００２４】
ある態様では、たとえば、小規模セル110のカバレージ最適化マネージャ112は、バックホールキャパシティ推定構成要素210、ターゲットOTAデータレート決定構成要素212、および/またはパラメータ最適化構成要素114を含むように構成され得る。
【００２５】
ある態様では、バックホールキャパシティ推定構成要素210は、小規模セルの利用可能なバックホールキャパシティを推定するように構成され得る。たとえば、ある態様では、小規模セル110のバックホールキャパシティ推定構成要素210は、1つまたは複数のUE122をサポートするためにコアネットワークエンティティ102と通信するために、小規模セル110によって使用されるリンク104の利用可能なキャパシティを推定するように構成され得る。
【００２６】
UE122のために利用可能な小規模セル110のバックホールキャパシティは、様々な要因に依存し得る。たとえば、ある態様では、リンク104は、小規模セル上の他のワイヤード/ワイヤレスデバイス、たとえば、Wi-Fiルータ、セットトップボックス、Wi-Fiテレビ等と共有されてよく、それによってUE122のために利用可能なバックホールキャパシティを減少させる。追加の態様では、リンク104は、UE122をサポートするために利用可能なバックホールキャパシティに影響を与える場合がある輻輳に遭遇し得る。さらなる追加の態様では、UE122のために利用可能なバックホールキャパシティは、バックホールのタイプ、たとえば、ファイバ、デジタル加入者回線(DSL)、ケーブルモデム、イーサネット(登録商標)等に依存し得る。
【００２７】
ある態様では、バックホールの利用可能なキャパシティは、いくつかの技法を使用して推定され得る。たとえば、ある態様では、バックホール(たとえば、リンク104)の利用可能なキャパシティは、軽いプロービング(light probing)または重いプロービング(heavy probing)を使用して推定され得る。追加の態様では、バックホールの利用可能なキャパシティは、既知のサーバからリンク104を介して小規模ダウンロードセッションを開始することによって推定され得る。さらなる追加の態様では、たとえば、バックホール104の利用可能なキャパシティは、往復時間(RTT)遅延を測定することによって推定され得る。
【００２８】
ある態様では、ターゲットOTAデータレート決定構成要素212は、推定された利用可能なバックホールキャパシティに少なくとも基づいて、小規模セルのターゲットOTAデータレートを決定するように構成され得る。たとえば、ある態様では、ターゲットOTAデータレート決定構成要素212は、リンク104の推定された利用可能なキャパシティに基づいて、小規模セル110のターゲットOTAデータレートを決定し得る。
【００２９】
たとえば、ある態様では、推定された利用可能なバックホールキャパシティが10Mbpsである場合、ターゲットOTAデータレート決定構成要素212は、小規模セルのターゲットOTAデータレートを10Mbps以下の値になるように決定し得るので、小規模セルは、バックホール制限のために10Mbpsを超えるデータレートをサポートできない場合がある。ターゲットOTAデータレートが10Mbpsを上回る値に設定される場合、小規模セルのOTAリソースは効率的に使用されていない。追加の、または任意の態様では、ピークOTAデータレートは、小規模セルの構成に基づいて識別され得る。たとえば、ある態様では、小規模セルによってサポートされるピークOTAデータレートは、小規模セルのアンテナの数および/またはアンテナ構成に基づいて決定され得る。
【００３０】
ある態様では、パラメータ最適化構成要素114は、小規模セルの1つまたは複数のパラメータを修正することによって、決定されたターゲットOTAデータレートに基づいて、小規模セルのカバレージエリアを変更するように構成され得る。たとえば、ある態様では、小規模セル110のカバレージエリアは、小規模セルの1つまたは複数のパラメータを修正することによって、決定されたターゲットOTAデータレートに基づいて変更され得る。
【００３１】
たとえば、小規模セルのリソース要素(RE)あたりの送信電力は、小規模セルのカバレージエリアを増大させるために増加され得る。小規模セルのREあたりの増加された送信電力は、小規模セルが、普通なら小規模セルのカバレージ外にあるUEにサービスを提供することを可能にするために、拡張されたカバレージを提供し得る。たとえば、図1のカバレージエリア130は、たとえば、小規模セルのREあたりの送信電力を増加させることによって、小規模セルのカバレージエリアが増大された態様を示しており、次にサービスを1つまたは複数のUE132に提供することが可能であり得る。
【００３２】
ある態様では、小規模セルのRE当たりの送信電力が増加すると、小規模セルのリソース要素の数は減少され得るので、小規模セルは、バックホールの制限のためにいずれにしてもすべてのREを使用できない場合がある。追加の態様では、これによって、小規模セルの送信電力を増加させることによって小規模セルのカバレージエリアを増大させることが可能になり得る。たとえば、セルカバレージエリアは、全帯域幅にわたる合計放射電力を変更しないまま共通チャネルの電力を増加させることと組み合わせて、減少された利用可能なREのセット上の送信電力を増加させることによって増大され得る。
【００３３】
例示的な態様では、小規模セルのキャリア動作帯域幅が変更され得る。たとえば、小規模セルは10MHzまたは20MHzキャリアで動作してよく、動作キャリアの帯域幅は5MHzキャリアに変更され得る。小規模セルは任意のサイズの帯域幅を有するキャリア上で動作し得るので、これは例にすぎず、限定ではない。ある態様では、RE上で利用可能な電力を増加させることによって小規模セルのカバレージエリアを増大させるために、小規模セルのキャリア帯域幅は減少され得る。
【００３４】
追加の例示的な態様では、小規模セルのキャリアの動作帯域幅は、小規模セルで収集された動作測定値(OM)に基づいて変更され得る。たとえば、小規模セルが、収集されたOMから得られた情報に基づいて、より多くの利用可能な電力をREに与えることによって小規模セルのカバレージエリアは増大され得ると決定すると、小規模セルは、小規模セルによって収集されたOMに基づいてキャリアの動作帯域幅を減少させ得る。
【００３５】
追加の、または任意の例示的な態様では、小規模セルの動作キャリアの帯域幅は、小規模セルが最初にオンにされたとき、または初期設定後に構成され得る。さらに、ネットワーク事業者は、小規模セルで設定され得る様々なキャリア帯域幅を事前設定(たとえば、5MHz、10MHz、20MHz等)し得る。
【００３６】
ある態様では、小規模セルの増大/縮小されたカバレージエリアをサポートするために、共通チャネルおよび/またはパイロットの送信電力が増加/減少され得る。たとえば、ある態様では、共通チャネルの送信電力が増加されると、共通チャネルは、たとえば、共通参照信号(CRS)、1次同期信号(PSS)、2次同期信号(SSS)、物理ブロードキャストチャネル(PBCH)、および物理ダウンリンク制御チャネル(PDCCH)を含み得る。小規模セルの拡張されたカバレージエリアをサポートするために、共通チャネル/パイロットの送信電力が増加され得る。
【００３７】
追加の態様では、小規模セルのカバレージエリアを増大/縮小するために、トラフィック対パイロット(T2P)値、たとえば、Pa/Pbが増加/減少され得る。ある態様では、ハイブリッド自動再送要求(HARQ)送信のターゲット数が増加され得る。たとえば、所与の送信電力のために、HARQ送信のターゲット数が1から4送信に増加した場合、小規模セルのカバレージエリアを増大するために6dBの利得が達成され得る。さらに、ある態様では、小規模セルのカバレージ範囲を増大するために、HARQプロセスのブロックエラーレート(BLER)ターゲットが増加され得る。
【００３８】
さらに、小規模セルのカバレージ範囲を変更するために、小規模セルで様々なパラメータが修正され得る。たとえば、総送信電力を最大許容電力未満に維持するために、PDCCHの集計レベルを調整して、PDCCHおよびPDSCHのリソースブロック(RB)の数を制限する。たとえば、小規模セルのカバレージエリアを改善するためにパイロットまたは制御チャネルがブーストされると、パイロット/オーバーヘッド/制御チャネル電力における増加を補償するために、PDSCH送信電力が減少され得るか、PDSCHのために使用されるRBの数が減少され得る。ある態様では、共通チャネルの送信電力が増加されると、電力は総電力から借りられているので、小規模セルのピークOTAデータレートが下がる場合がある。
【００３９】
ある態様では、小規模セルのパラメータを修正することは、半静的でもよく動的でもよい。たとえば、パラメータは、推定された利用可能なバックホールキャパシティに基づいて動的に修正され得る。任意の態様では、パラメータは、半静的な方法で、たとえば、時刻、小規模セルによってサービスされるユーザの数、小規模セル配備密度、UE機能、およびMIMO構成などの小規模セルの構成態様に基づいて修正され得る。半静的な手法は、小規模セルのカバレージエリアを頻繁に変更することを回避するために使用され得る。
【００４０】
ある態様では、小規模セルのパラメータは、小規模セルのカバレージ範囲を増大することに向かって、またはターゲットOTAデータレートを満たすことに向かって、小規模セルのバイアス構成に修正され得る。たとえば、より多くのUEが小規模セルのカバレージエリア外にある場合、パラメータは、小規模セルのカバレージエリアを増大するために修正され得る。追加の例示的な態様では、より多くのUEが小規模セルの中心のより近くにある場合、小規模セルの送信電力を減少することによって、パラメータは小規模セルのカバレージエリアを縮小するために修正されてよく、したがって小規模セルがより高いOTAデータレートをサポートできるようになる。
【００４１】
任意の態様では、より多くのUEが、セルの端、またはセルのカバレージエリア外ではなく、小規模セルの中心のより近くに配置されていると決定されると、小規模セルの送信電力は減少され得る。セルのカバレージエリアを縮小することによって、小規模セルは、縮小されたカバレージエリア内に存在するより多くのUEをサポートする、および/またはより高いピークデータレートを提供することができる。
【００４２】
図3は、小規模セルのカバレージエリアを最適化するための例示的な方法300を示している。ある態様では、ブロック302で、方法300は、小規模セルの利用可能なバックホールキャパシティを推定するステップを含み得る。たとえば、ある態様では、基地局110、および/またはカバレージ最適化マネージャ112、ならびに/あるいはバックホールキャパシティ推定構成要素210は、小規模セルの利用可能なバックホールキャパシティを推定するように構成され得る。たとえば、利用可能なバックホールキャパシティは、上述のように複数の要因に依存し得る。
【００４３】
さらに、ブロック304で、方法300は、推定された利用可能なバックホールキャパシティに少なくとも基づいて、小規模セルのターゲットOTAデータレートを決定するステップを含み得る。たとえば、ある態様では、基地局110、および/またはカバレージ最適化マネージャ112、ならびに/あるいはターゲットOTAデータレート決定構成要素212は、推定された利用可能なバックホールキャパシティに少なくとも基づいて、小規模セルのターゲットOTAデータレートを決定するように構成され得る。
【００４４】
さらに、ブロック306で、方法300は、決定されたターゲットOTAデータレートに少なくとも基づいて、小規模セルのカバレージエリアを変更するステップを含み得る。たとえば、ある態様では、基地局110、および/またはカバレージ最適化マネージャ112、ならびに/あるいはパラメータ最適化構成要素114は、決定されたターゲットOTAデータレートに少なくとも基づいて、小規模セルのカバレージエリアを変更するように構成され得る。追加の、または任意の態様では、たとえば、決定されたターゲットOTAデータレートに少なくとも基づいて、小規模セルのカバレージエリアを変更するステップは、上記で図2を参照して説明したように、小規模セルの1つまたは複数のパラメータを修正するステップを含み得る。
【００４５】
図4を参照すると、小規模セルのカバレージエリアを最適化するための例示的なシステム400が表示されている。たとえば、システム400は、小規模セル110(図1)の中に少なくとも部分的に存在し得る。システム400は、プロセッサ、ソフトウェア、またはそれらの組合せ(たとえば、ファームウェア)によって実施される機能を表す機能ブロックであり得る、機能ブロックを含むものとして表されていることを諒解されたい。システム400は、連携して動作することができる電気的構成要素の論理グルーピング402を含む。たとえば、論理グルーピング402は、小規模セルの利用可能なバックホールキャパシティを推定するための電気的構成要素404を含み得る。ある態様では、電気的構成要素404は、バックホールキャパシティ推定構成要素210(図2)を備え得る。
【００４６】
さらに、論理グルーピング402は、推定された利用可能なバックホールキャパシティに少なくとも基づいて、小規模セルのターゲットOTAデータレートを決定するための電気的構成要素406を含み得る。ある態様では、電気的構成要素406は、ターゲットOTAデータレート決定構成要素212(図2)を備え得る。さらに、ある態様では、論理グルーピング402は、決定されたターゲットOTAデータレートに少なくとも基づいて、小規模セルのカバレージエリアを変更するための電気的構成要素408を含み得る。ある態様では、電気的構成要素408は、パラメータ最適化構成要素114(図1〜図2)を備え得る。
【００４７】
さらに、システム400は、電気的構成要素404、406、および408に関連付けられた機能を実行するための命令を保持すること、電気的構成要素404、406、および408によって使用または取得されるデータを記憶することなどを行うメモリ410を含むことができる。電気的構成要素404、406、および408は、メモリ410の外部にあるものとして示されているが、これらの電気的構成要素のうちの1つまたは複数は、メモリ410内に存在し得ることを理解されたい。一例では、電気的構成要素404、406、および408は、少なくとも1つのプロセッサを含むことができ、または各電気的構成要素404、406、および408は、少なくとも1つのプロセッサの対応するモジュールとすることができる。さらに、追加または代替の例では、電気的構成要素404、406、および408は、コンピュータ可読媒体を含むコンピュータプログラム製品とすることができ、各電気的構成要素404、406、および408は、対応するコードとすることができる。
【００４８】
図5はネットワーク環境内の基地局の配備を可能にするための例示的な通信システムを示している。図5に示されるように、システム500は、HNB510などの、複数の基地局、またはホームNode Bユニット(HNB)、あるいは小規模セルを含み、それぞれが、たとえば1つまたは複数のユーザの住居530などの対応する小規模スケールネットワーク環境に設置されており、関連する、ならびに異質の、ユーザ機器(UE)520にサービスするように構成されている。各HNB510は、DSLルータ(図示せず)、または代替でケーブルモデム(図示せず)を介して、インターネット540およびモバイル事業者のコアネットワーク550にさらに結合されている。
【００４９】
本明細書に記載の態様は3GPP用語を使用するが、態様は3GPP(Rel99、Rel5、Rel6、Rel7)技法、および3GPP2(1xRTT、1xEV-DO Rel0、RevA、RevB)技法、ならびに他の既知の、および関連する技法に適用され得ることが理解されるべきである。本明細書に記載のそのような態様では、HNB510の所有者は、たとえば、モバイル事業者のコアネットワーク550を通じて提供される3Gモバイルサービスなどのモバイルサービスに加入し、UE520は、マクロセルラー環境と、住居の小規模スケールネットワーク環境との両方において動作することができる。したがって、HNB510は、あらゆる既存のUE520と下位互換性がある。
【００５０】
さらに、マクロセルモバイルネットワーク550に加えて、UE520は、あらかじめ定められた数のHNB510、すなわち、ユーザの住居530内に存在するHNB510によってのみサービスされてよく、マクロネットワーク550とソフトハンドオーバ状態になることはできない。UE520は、マクロネットワーク550またはHNB510のいずれかと通信することができるが、その両方と同時に通信することはできない。UE520がHNB510と通信することを許可されている限り、ユーザの住居内で、UE520は、関連付けられるHNB510だけと通信することが所望される。
【００５１】
図6を参照すると、一態様では、カバレージ最適化マネージャ112(図1〜図2)を含む小規模セル110(図1)の1つまたは複数が、特別にプログラムされた、または構成されたコンピュータデバイス600によって表され得る。実装形態の一態様では、コンピュータデバイス600は、特別にプログラムされたコンピュータ可読命令もしくはコード、ファームウェア、ハードウェア、またはそれらの何らかの組合せにおいてなど、カバレージ最適化マネージャ112(図1〜図2)を含み得る。コンピュータデバイス600は、本明細書で説明する構成要素および機能のうちの1つまたは複数に関連する処理機能を実行するための、プロセッサ602を含む。プロセッサ602は、プロセッサまたはマルチコアプロセッサの単一のセットまたは複数のセットを含み得る。その上、プロセッサ602は、統合処理システムおよび/または分散処理システムとして実装されてもよい。
【００５２】
コンピュータデバイス600は、プロセッサ602によって実行されているアプリケーションの本明細書で使用されるデータおよび/またはローカルバージョンを記憶するなどのためのメモリ604をさらに含む。メモリ604は、ランダムアクセスメモリ(RAM)、読取り専用メモリ(ROM)、テープ、磁気ディスク、光ディスク、揮発性メモリ、不揮発性メモリ、およびそれらの任意の組合せなど、コンピュータが使用できる任意のタイプのメモリを含むことができる。
【００５３】
さらに、コンピュータデバイス600は、本明細書で説明するように、ハードウェア、ソフトウェア、およびサービスを利用して、1つまたは複数の相手との通信を確立し維持することを可能にする、通信構成要素606を含む。通信構成要素606は、コンピュータデバイス600上の構成要素間の通信、ならびに、コンピュータデバイス600と、通信ネットワーク上に位置するデバイス、および/またはコンピュータデバイス600に直列またはローカルに接続されたデバイスなどの外部デバイスとの間の通信を、伝え得る。たとえば、通信構成要素606は、1つまたは複数のバスを含んでもよく、外部デバイスとのインターフェースをとるように動作可能な、送信機および受信機にそれぞれ関連付けられる送信チェーン構成要素および受信チェーン構成要素、またはトランシーバをさらに含んでもよい。追加の態様では、通信構成要素606は、1つまたは複数の加入者ネットワークから1つまたは複数のページを受信するように構成され得る。さらなる態様では、そのようなページは、第2の加入に対応することができ、第1の技術タイプの通信サービスを介して受信され得る。
【００５４】
さらに、コンピュータデバイス600は、データ記憶装置608をさらに含んでよく、データ記憶装置608は、本明細書で説明する態様に関連して利用される情報、データベース、およびプログラムの大容量記憶を実現する、ハードウェアおよび/またはソフトウェアの任意の適切な組合せであり得る。たとえば、データ記憶装置608は、プロセッサ602によって現在実行されていないアプリケーションおよび/または任意のしきい値もしくは指位置値のためのデータリポジトリであり得る。
【００５５】
コンピュータデバイス600は、さらに、コンピュータデバイス600のユーザから入力を受け取るように動作可能で、ユーザへの提示のための出力を生成するようにさらに動作可能な、ユーザインターフェース構成要素610を含み得る。ユーザインターフェース構成要素610は、限定はしないが、キーボード、ナンバーパッド、マウス、タッチ感知式ディスプレイ、ナビゲーションキー、ファンクションキー、マイクロフォン、音声認識構成要素、ユーザからの入力を受け取ることが可能な任意の他の機構、またはそれらの任意の組合せを含む、1つまたは複数の入力デバイスを含み得る。さらに、ユーザインターフェース構成要素610は、限定はしないが、ディスプレイ、スピーカ、触覚フィードバック機構、プリンタ、ユーザに出力を提示することが可能な任意の他の機構、またはそれらの任意の組合せを含む1つまたは複数の出力デバイスを含み得る。
【００５６】
図7は、たとえば、小規模セルのカバレージエリアを最適化するための方法など、本開示の態様を実行するための処理システム714を採用する、図1のカバレージ最適化マネージャ112を含む、装置700のハードウェア実装形態の例を示すブロック図である。この例では、処理システム714は、一般的にバス702によって表されるバスアーキテクチャで実装され得る。バス702は、処理システム714の具体的な用途および全体的な設計制約に応じて、任意の数の相互接続するバスおよびブリッジを含み得る。バス702は、一般にプロセッサ704によって表される1つまたは複数のプロセッサ、一般にコンピュータ可読媒体706によって表されるコンピュータ可読媒体、および、これに限定されないが、カバレージ最適化マネージャ112(図1〜図2)などの、本明細書に記載の1つまたは複数の構成要素を含む、様々な回路をリンクする。バス702は、タイミングソース、周辺機器、電圧調整器、および電力管理回路など、様々な他の回路をリンクさせることもでき、これらの回路は当技術分野でよく知られており、したがって、これ以上は説明しない。バスインターフェース708は、バス702とトランシーバ710との間にインターフェースを提供する。トランシーバ710は、送信媒体上の様々な他の装置と通信するための手段を提供する。また、装置の性質に応じて、ユーザインターフェース712(たとえば、キーパッド、ディスプレイ、スピーカ、マイクロフォン、ジョイスティックなど)が設けられてもよい。
【００５７】
プロセッサ704は、バス702の管理、およびコンピュータ可読媒体706上に記憶されたソフトウェアの実行を含む全般的な処理を受け持つ。ソフトウェアは、プロセッサ704によって実行されると、任意の特定の装置の以下で説明される様々な機能を処理システム714に実行させる。コンピュータ可読媒体706は、ソフトウェアを実行するときにプロセッサ704によって操作されるデータを記憶するために使用されてもよい。
【００５８】
図8は、ワイヤレス通信システム100(図1)の様々な装置を採用する、およびカバレージ最適化マネージャ112(図1〜図2)を含むように構成された1つまたは複数の小規模セルを含み得る、Long Term Evolution(LTE)ネットワークアーキテクチャ800を示す図である。LTEネットワークアーキテクチャ800は、発展型パケットシステム(EPS)800と呼ばれ得る。EPS800は、1つまたは複数のユーザ機器(UE)802、発展型UMTS地上無線アクセスネットワーク(E-UTRAN)804、発展型パケットコア(EPC)880、ホーム加入者サーバ(HSS)820、および事業者のIPサービス822を含み得る。EPSは、他のアクセスネットワークと相互接続し得るが、簡単にするために、それらのエンティティ/インターフェースは図示されていない。図示されるように、EPSは、パケット交換サービスを提供するが、本開示全体にわたって提示される様々な概念は回路交換サービスを提供するネットワークに拡張され得ることを、当業者は容易に理解するであろう。
【００５９】
E-UTRANは、発展型Node B(eNB)806と、他のeNB808とを含む。eNB806は、UE802に向かって、ユーザおよび制御プレーンプロトコル終端を提供する。eNB808は、X2インターフェース(すなわち、バックホール)を介して他のeNB808に接続され得る。eNB806はまた、当業者によって、基地局、基地トランシーバ局、無線基地局、無線トランシーバ、トランシーバ機能、基本サービスセット(BSS)、小規模セル、拡張サービスセット(ESS)、または他の何らかの適切な用語と呼ばれ得る。eNB806は、EPC880へのアクセスポイントをUE802に提供する。UE802の例には、セルラー電話、スマートフォン、セッション開始プロトコル(SIP)電話、ラップトップ、携帯情報端末(PDA)、衛星ラジオ、全地球測位システム、マルチメディアデバイス、ビデオデバイス、デジタルオーディオプレーヤ(たとえば、MP3プレーヤ)、カメラ、ゲームコンソール、または他の何らかの類似の機能デバイスがある。UE802はまた、当業者によって、移動局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または他の適切な用語と呼ばれ得る。
【００６０】
eNB806は、S1インターフェースによってEPC880に接続されている。EPC880は、モビリティ管理エンティティ(MME)862、他のMME864、サービングゲートウェイ866、およびパケットデータネットワーク(PDN)ゲートウェイ868を含む。MME862は、UE802とEPC880との間のシグナリングを処理する制御ノードである。一般に、MME862はベアラおよび接続管理を提供する。すべてのユーザIPパケットはサービングゲートウェイ866を通じて転送され、サービングゲートウェイ866自体はPDNゲートウェイ868に接続されている。PDNゲートウェイ868は、UE IPアドレス割当て、ならびに他の機能を提供する。PDNゲートウェイ868は、事業者のIPサービス822に接続されている。事業者のIPサービス822は、インターネット、イントラネット、IPマルチメディアサブシステム(IMS)、およびPSストリーミングサービス(PSS)を含む。
【００６１】
図9を参照すると、UTRANアーキテクチャ内のアクセスネットワーク900が示されており、カバレージ最適化マネージャ112(図1〜図2)を含むように構成された1つまたは複数の基地局または小規模セルを含み得る。多元接続ワイヤレス通信システムは、セル902、904、および906を含む複数のセルラー領域(セル)を含み、セルの各々は、1つまたは複数のセクタを含み得る。複数のセクタは、図1の1つまたは複数の小規模セル110でよい。複数のセクタはアンテナのグループによって形成されてよく、各々のアンテナがセルの一部にあるUEとの通信を担う。たとえば、セル902において、アンテナグループ912、914、および916は、各々異なるセクタに対応し得る。セル904において、アンテナグループ918、920、および922は、各々異なるセクタに対応する。セル906において、アンテナグループ924、926、および928は、各々異なるセクタに対応する。セル902、904、および906は、各セル902、904、または906の1つまたは複数のセクタと通信していてもよい、たとえば、図1のUE122、132、および142を含む、いくつかのワイヤレス通信デバイス、たとえばユーザ機器すなわちUEを含み得る。たとえば、UE930および932は、NodeB942と通信していてもよく、UE934および936は、NodeB944と通信していてもよく、UE938および940は、NodeB946と通信していてもよい。ここで、各NodeB942、944、946は、それぞれのセル902、904、および906の中のすべてのUE930、932、934、936、938、940のために、アクセスポイントを提供するように構成される。加えて、各NodeB942、944、946、およびUE930、932、934、936、938、940は、図1のUE122、132であってもよく、本明細書で概説した方法を実行し得る。
【００６２】
UE934がセル904における図示された位置からセル906に移動するとき、サービングセル変更(SCC)またはハンドオーバが生じて、UE934との通信が、ソースセルと呼ばれ得るセル904からターゲットセルと呼ばれ得るセル906に移行することがある。UE934において、それぞれのセルに対応するNodeBにおいて、EPC880(図8)において、またはワイヤレスネットワークにおける別の適切なノードにおいて、ハンドオーバプロシージャの管理が生じ得る。たとえば、ソースセル904との呼の間、または任意の他の時間において、UE934は、ソースセル904の様々なパラメータ、ならびに、セル906、および902のような近隣セルの様々なパラメータを監視することができる。さらに、これらのパラメータの品質に応じて、UE934は、近隣セルの1つまたは複数との通信を保つことができる。この期間において、UE934は、UE934が同時に接続されるセルのリストであるアクティブセットを保持することができる(すなわち、ダウンリンク専用物理チャネルDPCHまたはフラクショナルダウンリンク専用物理チャネルF-DPCHをUE934に現在割り当てているUTRAセルが、アクティブセットを構成し得る)。いずれの場合も、UE934は、本明細書で説明する再選択動作を実行するために、再選択マネージャ104を実行し得る。
【００６３】
さらに、アクセスネットワーク900によって用いられる変調方式および多元接続方式は、導入されている特定の電気通信規格に応じて異なり得る。例として、規格は、Evolution-Data Optimized(EV-DO)またはUltra Mobile Broadband(UMB)を含み得る。EV-DOおよびUMBは、CDMA2000規格ファミリーの一部として第3世代パートナーシッププロジェクト2(3GPP2)によって公表されたエアインターフェース規格であり、CDMAを用いて移動局にブロードバンドインターネットアクセスを提供する。規格は代替的に、広帯域CDMA(W-CDMA)およびTD-SCDMAなどのCDMAの他の変形形態を用いるUniversal Terrestrial Radio Access(UTRA)、TDMAを用いるGlobal System for Mobile Communications(GSM(登録商標))、ならびにOFDMAを用いるEvolved UTRA(E-UTRA)、Ultra Mobile Broadband(UMB)、IEEE 902.11(Wi-Fi)、IEEE 902.16(WiMAX)、IEEE 902.20、およびFlash-OFDMであり得る。UTRA、E-UTRA、UMTS、LTE、LTE Advanced、およびGSM(登録商標)は、3GPP団体による文書に記述されている。CDMA2000およびUMBは、3GPP2団体による文書に記述されている。実際の利用されるワイヤレス通信規格、多元接続技術は、具体的な用途およびシステム全体に課される設計制約に依存する。
【００６４】
図10は、UE1050と通信しているNodeB1010のブロック図であり、NodeB1010は、小規模セル110のうちの1つもしくは複数であってもよく、および/または、カバレージ最適化マネージャ112(図1〜図2)を含んでもよい。ダウンリンク通信では、送信プロセッサ1020は、データ源1012からデータを受信し、コントローラ/プロセッサ1040から制御信号を受信することができる。送信プロセッサ1020は、参照信号(たとえばパイロット信号)とともに、データ信号および制御信号のための様々な信号処理機能を提供する。たとえば、送信プロセッサ1020は、誤り検出のための巡回冗長検査(CRC)コード、順方向誤り訂正(FEC)を支援するための符号化およびインターリービング、様々な変調方式(たとえば、二位相偏移変調(BPSK)、四位相偏移変調(QPSK)、M-位相偏移変調(M-PSK)、M-直角位相振幅変調(M-QAM)など)に基づいた信号配列へのマッピング、直交可変拡散率(OVSF)による拡散、および、一連のシンボルを生成するためのスクランブリングコードとの乗算を、提供することができる。送信プロセッサ1020のための、符号化方式、変調方式、拡散方式および/またはスクランブリング方式を決定するために、チャネルプロセッサ1044からのチャネル推定が、コントローラ/プロセッサ1040によって使われ得る。これらのチャネル推定は、UE1050によって送信される参照信号から、またはUE1050からのフィードバックから、導出され得る。送信プロセッサ1020によって生成されたシンボルは、フレーム構造を作成するために、送信フレームプロセッサ1030に与えられる。送信フレームプロセッサ1030は、コントローラ/プロセッサ1040からの情報とシンボルとを多重化することによって、このフレーム構造を作成し、一連のフレームが得られる。次いでこのフレームは送信機1032に与えられ、送信機1032は、アンテナ1034を通じたワイヤレス媒体によるダウンリンク送信のために、増幅、フィルタリング、およびフレームのキャリア上への変調を含む、様々な信号調整機能を提供する。アンテナ1034は、たとえば、ビームステアリング双方向適応アンテナアレイまたは他の同様のビーム技術を含む、1つまたは複数のアンテナを含み得る。
【００６５】
UE1050において、受信機1054は、アンテナ1052を通じてダウンリンク送信を受信し、その送信を処理してキャリア上へ変調されている情報を回復する。受信機1054によって回復された情報は、受信フレームプロセッサ1060に与えられ、受信フレームプロセッサ1060は、各フレームを解析し、フレームからの情報をチャネルプロセッサ1094に提供し、データ信号、制御信号、および参照信号を受信プロセッサ1070に提供する。受信プロセッサ1070は次いで、NodeB1010中の送信プロセッサ1020によって実行される処理の逆を実行する。より具体的には、受信プロセッサ1070は、シンボルを逆スクランブルおよび逆拡散し、次いで変調方式に基づいて、NodeB1010によって送信された、最も可能性の高い信号配列点を求める。これらの軟判定は、チャネルプロセッサ1094によって計算されるチャネル推定に基づき得る。そして軟判定は、データ信号、制御信号、および参照信号を回復するために、復号されてデインターリーブされる。そして、フレームの復号が成功したかどうか判断するために、CRCコードが確認される。次いで、復号に成功したフレームによって搬送されるデータがデータシンク1072に与えられ、データシンク1072は、UE1050および/または様々なユーザインターフェース(たとえばディスプレイ)において実行されているアプリケーションを表す。復号に成功したフレームが搬送する制御信号は、コントローラ/プロセッサ1090に与えられる。受信プロセッサ1070によるフレームの復号が失敗すると、コントローラ/プロセッサ1090は、確認応答(ACK)プロトコルおよび/または否定応答(NACK)プロトコルを用いて、そうしたフレームの再送信要求をサポートすることもできる。
【００６６】
アップリンクでは、データ源1077からのデータおよびコントローラ/プロセッサ1090からの制御信号が、送信プロセッサ1080に与えられる。データ源1077は、UE1050で実行されているアプリケーションおよび様々なユーザインターフェース(たとえばキーボード)を表し得る。NodeB1010によるダウンリンク送信に関して説明する機能と同様に、送信プロセッサ1080は、CRCコード、FECを支援するための符号化およびインターリービング、信号配列へのマッピング、OVSFによる拡散、および、一連のシンボルを生成するためのスクランブリングを含む、様々な信号処理機能を提供する。NodeB1010によって送信される参照信号から、または、NodeB1010によって送信されるミッドアンブル中に含まれるフィードバックから、チャネルプロセッサ1094によって導出されるチャネル推定が、適切な符号化方式、変調方式、拡散方式、および/またはスクランブリング方式を選択するために、使われ得る。送信プロセッサ1080によって生成されたシンボルは、フレーム構造を作成するために、送信フレームプロセッサ1082に与えられる。送信フレームプロセッサ1082は、コントローラ/プロセッサ1090からの情報とシンボルとを多重化することによって、このフレーム構造を作成し、一連のフレームが得られる。次いでこのフレームは送信機1056に与えられ、送信機1056は、アンテナ1052を通じたワイヤレス媒体によるアップリンク送信のために、増幅、フィルタリング、およびフレームのキャリア上への変調を含む、様々な信号調整機能を提供する。
【００６７】
アップリンク送信は、UE1050において受信機機能に関して説明されたのと同様の方式で、NodeB1010において処理される。受信機1035は、アンテナ1034を通じてアップリンク送信を受信し、その送信を処理してキャリア上へ変調されている情報を回復する。受信機1035によって回復された情報は、受信フレームプロセッサ1036に与えられ、受信フレームプロセッサ1036は、各フレームを解析し、フレームからの情報をチャネルプロセッサ1044に提供し、データ信号、制御信号、および参照信号を受信プロセッサ1037に提供する。受信プロセッサ1037は、UE1050中の送信プロセッサ1080によって実行される処理の逆を実行する。次いで、復号に成功したフレームによって搬送されるデータ信号および制御信号が、データシンク1039およびコントローラ/プロセッサにそれぞれ与えられ得る。フレームの一部が、受信プロセッサによる復号に失敗すると、コントローラ/プロセッサ1040は、確認応答(ACK)プロトコルおよび/または否定応答(NACK)プロトコルを用いて、そうしたフレームの再送信要求をサポートすることもできる。
【００６８】
コントローラ/プロセッサ1040および1090は、それぞれNodeB1010およびUE1050における動作を指示するために使われ得る。たとえば、コントローラ/プロセッサ1040および1090は、タイミング、周辺インターフェース、電圧調整、電力管理、および他の制御機能を含む、様々な機能を提供することができる。メモリ1042および1092のコンピュータ可読媒体は、それぞれ、NodeB1010およびUE1050のためのデータおよびソフトウェアを記憶することができる。NodeB1010におけるスケジューラ/プロセッサ1046は、リソースをUEに割り振り、UEのダウンリンク送信および/またはアップリンク送信をスケジューリングするために、使われ得る。
【００６９】
W-CDMAシステムを参照して、電気通信システムのいくつかの態様を示してきた。当業者が容易に諒解するように、本開示全体にわたって説明する様々な態様は、他の電気通信システム、ネットワークアーキテクチャおよび通信規格に拡張され得る。
【００７０】
例として、様々な態様は、他のUMTSシステム、たとえばTD-SCDMA、高速ダウンリンクパケットアクセス(HSDPA)、高速アップリンクパケットアクセス(HSUPA)、高速パケットアクセスプラス(HSPA+)およびTD-CDMAに拡張され得る。様々な態様はまた、Long Term Evolution(LTE)(FDD、TDD、またはこれら両方のモードによる)、LTE-Advanced(LTE-A)(FDD、TDD、またはこれら両方のモードによる)、CDMA2000、Evolution-Data Optimized(EV-DO)、Ultra Mobile Broadband(UMB)、IEEE 802.11(Wi-Fi)、IEEE 802.16(WiMAX)、IEEE 802.20、Ultra-Wideband(UWB)、Bluetooth(登録商標)、および/または他の適切なシステムを利用するシステムに拡張され得る。実際の利用される電気通信規格、ネットワークアーキテクチャ、および/または通信規格は、具体的な用途およびシステム全体に課される設計制約に依存する。
【００７１】
本開示の様々な態様によれば、要素または要素の一部分または要素の組合せを、1つまたは複数のプロセッサを含む「処理システム」で実装できる。プロセッサの例として、マイクロプロセッサ、マイクロコントローラ、デジタル信号プロセッサ(DSP)、フィールドプログラマブルゲートアレイ(FPGA)、プログラマブルロジックデバイス(PLD)、状態機械、ゲート論理回路、個別ハードウェア回路、および本開示全体にわたって説明する様々な機能を実施するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。ソフトウェアはコンピュータ可読媒体上に存在し得る。コンピュータ可読媒体は、非一時的コンピュータ可読媒体であってよい。非一時的コンピュータ可読媒体は、例として、磁気記憶デバイス(たとえば、ハードディスク、フロッピー(登録商標)ディスク、磁気ストリップ)、光ディスク(たとえば、コンパクトディスク(CD)、デジタル多目的ディスク(DVD))、スマートカード、フラッシュメモリデバイス(たとえば、カード、スティック、キードライブ)、ランダムアクセスメモリ(RAM)、読取り専用メモリ(ROM)、プログラマブルROM(PROM)、消去可能PROM(EPROM)、電気的消去可能PROM(EEPROM)、レジスタ、取り外し可能ディスク、ならびに、コンピュータがアクセスし読み取ることができるソフトウェアおよび/または命令を記憶するための任意の他の適切な媒体を含む。
【００７２】
また、コンピュータ可読媒体は、例として、搬送波、伝送路、ならびに、コンピュータがアクセスし読み取ることができるソフトウェアおよび/または命令を送信するための任意の他の適切な媒体も含み得る。コンピュータ可読媒体は、処理システムの中に存在してもよく、処理システムの外に存在してもよく、または処理システムを含む複数のエンティティに分散してもよい。コンピュータ可読媒体は、コンピュータプログラム製品として具現化され得る。例として、コンピュータプログラム製品は、パッケージング材料内のコンピュータ可読媒体を含み得る。当業者は、具体的な用途およびシステム全体に課される全体的な設計制約に応じて、本開示全体にわたって示される説明する機能を最善の形で実装する方法を認識するだろう。
【００７３】
開示した方法におけるステップの特定の順序または階層は例示的なプロセスを示していることを理解されたい。設計上の選好に基づいて、方法におけるステップの特定の順序または階層は再構成可能であることを理解されたい。添付の方法クレームは、サンプル的順序で様々なステップの要素を提示しており、クレーム内で明記していない限り、提示した特定の順序または階層に限定されるように意図されているわけではない。
【００７４】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、請求項は本明細書で示す態様に限定されるよう意図されているわけではなく、請求項の文言と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。項目の列挙「のうちの少なくとも1つ」という語句は、単一の要素を含め、それらの項目の任意の組合せを意味する。たとえば、「a、bまたはcのうちの少なくとも1つ」は、「a」、「b」、「c」、「aおよびb」、「aおよびc」、「bおよびc」、「a、bおよびc」を含むことが意図されている。当業者が知っているか、後に知ることになる、本開示全体にわたって説明した様々な態様の要素と構造的かつ機能的に同等のものはすべて、参照により本明細書に明確に組み込まれ、請求項によって包含されることが意図される。また、本明細書で開示する内容は、そのような開示が請求項で明記されているか否かにかかわりなく、公に供することは意図されていない。請求項のいかなる要素も、「のための手段」という語句を使用して要素が明記されている場合、または方法クレームで「のためのステップ」という語句を使用して要素が記載されている場合を除き、米国特許法第112条第6項の規定に基づき解釈されることはない。
【符号の説明】
【００７５】
100  ワイヤレス通信システム
102  コアネットワークエンティティ
104  リンク、バックホール
110  小規模セル
112  カバレージ最適化マネージャ
114  パラメータ最適化構成要素
116  オーバーザエア(OTA)リンク
120  カバレージエリア
130  カバレージエリア
140  カバレージエリア
210  バックホールキャパシティ推定構成要素
212  ターゲットOTAデータレート決定構成要素
300  方法
400  システム
402  論理グルーピング
404  電気的構成要素
406  電気的構成要素
408  電気的構成要素
410  メモリ
500  システム
510  HNB
520  ユーザ機器(UE)
530  ユーザの住居
540  インターネット
550  モバイル事業者のコアネットワーク
550  マクロセルモバイルネットワーク
550  マクロネットワーク
600  コンピュータデバイス
602  プロセッサ
604  メモリ
606  通信構成要素
608  データ記憶装置
610  ユーザインターフェース構成要素
700  装置
702  バス
704  プロセッサ
706  コンピュータ可読媒体
708  バスインターフェース
710  トランシーバ
712  ユーザインターフェース
714  処理システム
800  Long Term Evolution(LTE)ネットワークアーキテクチャ
800  発展型パケットシステム(EPS)
802  ユーザ機器(UE)
804  発展型UMTS地上無線アクセスネットワーク(E-UTRAN)
806  発展型Node B(eNB)
808  他のeNB
820  ホーム加入者サーバ(HSS)
822  事業者のIPサービス
862  モビリティ管理エンティティ(MME)
864  他のMME
866  サービングゲートウェイ
868  パケットデータネットワーク(PDN)ゲートウェイ
880  発展型パケットコア(EPC)
900  アクセスネットワーク
902  セル
904  セル
906  セル
912  アンテナグループ
914  アンテナグループ
916  アンテナグループ
918  アンテナグループ
920  アンテナグループ
922  アンテナグループ
924  アンテナグループ
926  アンテナグループ
928  アンテナグループ
930  UE
932  UE
934  UE
936  UE
938  UE
940  UE
942  NodeB
944  NodeB
946  NodeB
1010  NodeB
1012  データ源
1020  送信プロセッサ
1030  送信フレームプロセッサ
1032  送信機
1034  アンテナ
1035  受信機
1036  受信フレームプロセッサ
1037  受信プロセッサ
1039  データシンク
1040  コントローラ/プロセッサ
1042  メモリ
1044  チャネルプロセッサ
1046  スケジューラ/プロセッサ
1050  UE
1052  アンテナ
1054  受信機
1056  送信機
1060  受信フレームプロセッサ
1070  受信プロセッサ
1072  データシンク
1077  データ源
1080  送信プロセッサ
1082  送信フレームプロセッサ
1090  コントローラ/プロセッサ
1092  メモリ
1094  チャネルプロセッサ
【図１】
2016538758.tif 000003
【図２】
2016538758.tif 000004
【図３】
2016538758.tif 000005
【図４】
2016538758.tif 000006
【図５】
2016538758.tif 000007
【図６】
2016538758.tif 000008
【図７】
2016538758.tif 000009
【図８】
2016538758.tif 000010
【図９】
2016538758.tif 000011
【図１０】
2016538758.tif 000012
【手続補正書】
【提出日】平成28年4月19日(2016.4.19)
【手続補正１】
【補正対象書類名】特許請求の範囲
【補正対象項目名】全文
【補正方法】変更
【補正の内容】
【特許請求の範囲】
【請求項１】
小規模セルのカバレージエリアを最適化するための方法であって、
小規模セルの利用可能なバックホールキャパシティを推定するステップと、
前記推定された利用可能なバックホールキャパシティに少なくとも基づいて、前記小規模セルのターゲットオーバーザエア(OTA)データレートを決定するステップと、
前記決定されたターゲットOTAデータレートに少なくとも基づいて、前記小規模セルの前記カバレージエリアを変更するステップであって、前記小規模セルの前記カバレージエリアが、前記小規模セルの合計放射電力を変更しないまま、変更される、ステップと
を備える、方法。
【請求項２】
前記小規模セルの1つまたは複数のパラメータを修正することによって、前記小規模セルの前記カバレージエリアは変更される、請求項1に記載の方法。
【請求項３】
前記ターゲットOTAデータレートは、前記小規模セルで利用可能なリソース要素(RE)を減少させることによって達成される、請求項2に記載の方法。
【請求項４】
前記小規模セルの前記カバレージエリアを変更する前記ステップは、前記小規模セルでリソース要素(RE)あたりの送信電力を増加させるステップをさらに備える、請求項2に記載の方法。
【請求項５】
前記小規模セルの1つまたは複数の共通チャネルの送信電力を増加させるステップをさらに備える、請求項2に記載の方法。
【請求項６】
前記1つまたは複数の共通チャネルは、共通参照信号(CRS)、1次同期信号(PSS)、2次同期信号(SSS)、物理ブロードキャストチャネル(PBCH)、および物理ダウンリンク制御チャネル(PDCCH)を備えるリストから選択される、請求項5に記載の方法。
【請求項７】
前記小規模セルの前記カバレージエリアは、前記小規模セルの動作帯域幅またはトラフィック対パイロット比を修正することによって変更される、請求項2に記載の方法。
【請求項８】
小規模セルのカバレージエリアを最適化するための装置であって、
小規模セルの利用可能なバックホールキャパシティを推定するための手段と、
前記推定された利用可能なバックホールキャパシティに少なくとも基づいて、前記小規模セルのターゲットオーバーザエア(OTA)データレートを決定するための手段と、
前記決定されたターゲットOTAデータレートに少なくとも基づいて、前記小規模セルの前記カバレージエリアを変更するための手段であって、前記小規模セルの前記カバレージエリアが、前記小規模セルの合計放射電力を変更しないまま、変更される、手段と
を備える、装置。
【請求項９】
前記小規模セルの1つまたは複数のパラメータを修正することによって、前記小規模セルの前記カバレージエリアは変更される、請求項8に記載の装置。
【請求項１０】
前記ターゲットOTAデータレートは、前記小規模セルで利用可能なリソース要素(RE)を減少させることによって達成される、請求項9に記載の装置。
【請求項１１】
前記小規模セルの前記カバレージエリアを前記変更することは、前記小規模セルでリソース要素(RE)あたりの送信電力を増加させることをさらに備える、請求項9に記載の装置。
【請求項１２】
前記小規模セルの1つまたは複数の共通チャネルの送信電力を増加させるための手段をさらに備える、請求項9に記載の装置。
【請求項１３】
前記1つまたは複数の共通チャネルは、共通参照信号(CRS)、1次同期信号(PSS)、2次同期信号(SSS)、物理ブロードキャストチャネル(PBCH)、および物理ダウンリンク制御チャネル(PDCCH)を備えるリストから選択される、請求項12に記載の装置。
【請求項１４】
前記小規模セルの前記カバレージエリアは、前記小規模セルの動作帯域幅またはトラフィック対パイロット比を修正することによって変更される、請求項9に記載の装置。
【請求項１５】
小規模セルのカバレージエリアを最適化するためのコンピュータ実行可能コードを記憶するコンピュータ可読記録媒体であって、
小規模セルの利用可能なバックホールキャパシティを推定するためのコードと、
前記推定された利用可能なバックホールキャパシティに少なくとも基づいて、前記小規模セルのターゲットオーバーザエア(OTA)データレートを決定するためのコードと、
前記決定されたターゲットOTAデータレートに少なくとも基づいて、前記小規模セルの前記カバレージエリアを変更するためのコードであって、前記小規模セルの前記カバレージエリアが、前記小規模セルの合計放射電力を変更しないまま、変更される、コードと
を備える、コンピュータ可読記録媒体。
【請求項１６】
前記小規模セルの1つまたは複数のパラメータを修正することによって、前記小規模セルの前記カバレージエリアが変更される、請求項15に記載のコンピュータ可読記録媒体。
【請求項１７】
前記ターゲットOTAデータレートは、前記小規模セルで利用可能なリソース要素(RE)を減少させることによって達成される、請求項16に記載のコンピュータ可読記録媒体。
【請求項１８】
前記小規模セルの前記カバレージエリアを前記変更することは、前記小規模セルでリソース要素(RE)あたりの送信電力を増加させることをさらに備える、請求項16に記載のコンピュータ可読記録媒体。
【請求項１９】
前記小規模セルの1つまたは複数の共通チャネルの送信電力を増加させるためのコードをさらに備える、請求項16に記載のコンピュータ可読記録媒体。
【請求項２０】
前記1つまたは複数の共通チャネルは、共通参照信号(CRS)、1次同期信号(PSS)、2次同期信号(SSS)、物理ブロードキャストチャネル(PBCH)、および物理ダウンリンク制御チャネル(PDCCH)を備えるリストから選択される、請求項19に記載のコンピュータ可読記録媒体。
【請求項２１】
前記小規模セルの前記カバレージエリアは、前記小規模セルの動作帯域幅またはトラフィック対パイロット比を修正することによって変更される、請求項16に記載のコンピュータ可読記録媒体。
【請求項２２】
小規模セルのカバレージエリアを最適化するための装置であって、
小規模セルの利用可能なバックホールキャパシティを推定するためのバックホールキャパシティ推定構成要素と、
前記推定された利用可能なバックホールキャパシティに少なくとも基づいて、前記小規模セルのターゲットオーバーザエア(OTA)データレートを決定するためのターゲットOTAデータレート決定構成要素と、
前記決定されたターゲットOTAデータレートに少なくとも基づいて、前記小規模セルの前記カバレージエリアを変更するためのパラメータ最適化構成要素であって、前記小規模セルの前記カバレージエリアが、前記小規模セルの合計放射電力を変更しないまま、変更される、パラメータ最適化構成要素と
を備える、装置。
【請求項２３】
前記パラメータ最適化構成要素は、前記小規模セルの1つまたは複数のパラメータを修正することによって、前記小規模セルの前記カバレージエリアを変更するようにさらに構成される、請求項22に記載の装置。
【請求項２４】
前記ターゲットOTAデータレート決定構成要素は、前記小規模セルで利用可能なリソース要素(RE)を減少させることによって、前記OTAデータレートを達成するようにさらに構成される、請求項23に記載の装置。
【請求項２５】
前記パラメータ最適化構成要素は、前記小規模セルでリソース要素(RE)あたりの送信電力を増加させることによって、前記小規模セルの前記カバレージエリアを変更するようにさらに構成される、請求項23に記載の装置。
【請求項２６】
前記パラメータ最適化構成要素は、前記小規模セルの1つまたは複数の共通チャネルの送信電力を増加させるようにさらに構成される、請求項23に記載の装置。
【請求項２７】
前記1つまたは複数の共通チャネルは、共通参照信号(CRS)、1次同期信号(PSS)、2次同期信号(SSS)、物理ブロードキャストチャネル(PBCH)、および物理ダウンリンク制御チャネル(PDCCH)を備えるリストから選択される、請求項26に記載の装置。
【請求項２８】
前記小規模セルの前記カバレージエリアは、前記小規模セルの動作帯域幅またはトラフィック対パイロット比を修正することによって変更される、請求項22に記載の装置。
【国際調査報告】
2016538758.tif 000013
2016538758.tif 000014
2016538758.tif 000015